Podtech/llm-jp-corpus-v4-ja_patent huggingface dataset:
(57)【要約】      （修正有）【課題】常時養殖する魚に適する海中の深さに於いて養殖を行い得るようにし、赤潮や台風による被害も減少し、かつ安価な浮沈式養殖生簀を提供する。【解決手段】養殖筏１上部にはウィンチ取付板２を設置その上にウィンチ本体３を固定し、ウィンチ本体３には前もってワイヤーロープ４を巻いておき、生簀網本体５上部には沈めても内部の魚が逃げない様に前もって網６を取付け、生簀網本体５上部ふちまわりには取付枠７を設置し、ワイヤーロープ４の先端にシャックル８を取付けそれを取付枠７に巻付け固定し、上部設置ウィンチ本体３を手動又は電動により下降、上昇させる。【選択図】図１
0003165714.tif 000002
【実用新案登録請求の範囲】
【請求項１】
内側に開口を有する養殖筏（１）上部に設置したウィンチ取付板（２）にウィンチ本体（３）を固定し、同ウィンチ本体（３）には、予めワイヤーロープ（４）を巻いておき、前記養殖筏（１）に懸架した上部に開口を有してなる生簀網本体（５）の上部には、前記養殖筏（１）に懸架した生簀網本体（５）を沈めても内部から養殖魚が逃げない様に予め、同生簀網本体（５）の上部開口を遮断する網（６）を取付け、前記生簀網本体（５）上部の縁全周には取付枠（７）を設置し、上記ウィンチ本体（３）に、予め巻かれた前記ワイヤーロープ（４）の繰り出し側先端にシャックル（８）を取付け、同シャックル（８）を介して前記取付枠（７）に連結し、上記ウィンチ本体（３）に装着した手動又は電動の駆動機構により前記ワイヤーロープ（４）を繰り出して前記生簀網本体（５）を上下動させる機構からなることを特徴とする浮沈式養殖生簀。
【考案の詳細な説明】
【技術分野】
【０００１】本考案は、浮沈式の養殖生簀であって、養殖魚に最適な深さの海中に設置し、必要に応じて海面に浮上させる生簀の構造に関するものである。
【背景技術】
【０００２】従来の養殖用生簀は、殆ど波静かな入江や内海で潮通しの良い処に、海面の筏に吊り下げて設置されており、表面は開放されていて、赤潮時及び台風時での養殖には不向きであった。また、他の方法ではかなり高価な金額が必要である。
【先行技術文献】
【０００３】
【特許文献】
【特許文献】特開平７−７６号公開特許公報
【考案の概要】
【考案が解決しようとする課題】
【０００４】本考案は、従来の養殖生簀は、海面の筏に吊り下げて定位置に設置される養殖であるため赤潮時、台風時には魚が死亡する被害が大きかった。また、他の方法では、かなり、高価な金額が必要であって、誰もが使えなかった。
【課題を解決するための手段】
【０００５】内側に開口を有する養殖筏（１）上部に設置したウィンチ取付板（２）にウィンチ本体（３）を固定し、同ウィンチ本体（３）には、予めワイヤーロープ（４）を巻いておき、前記養殖筏（１）に懸架した上部に開口を有してなる生簀網本体（５）の上部には、前記養殖筏（１）に懸架した生簀網本体（５）を沈めても内部から養殖魚が逃げない様に予め、同生簀網本体（５）の上部開口を遮断する網（６）を取付け、前記生簀網本体（５）上部の縁全周には取付枠（７）を設置し、上記ウィンチ本体（３）に、予め巻かれた前記ワイヤーロープ（４）の繰り出し側先端にシャックル（８）を取付け、同シャックル（８）を介して前記取付枠（７）に連結し、上記ウィンチ本体（３）に装着した手動又は電動の駆動機構により前記ワイヤーロープ（４）を繰り出して前記生簀網本体（５）を上下動させる駆動機構からなることを特徴とする浮沈式養殖生簀である。
【考案の効果】
【０００６】以上の如く構成された、本考案に係る浮沈式養殖生簀により、常時養殖する魚に適する海中の深さに於いて養殖を行い得るようにしたから、赤潮や台風による被害も減少し、尚且つ安価な設備費用により、現在より安定した養殖漁業を提供できる産業上の効果は大なるものがある。
【図面の簡単な説明】
【０００７】
【図１】本考案に係る養殖生簀の１実施例を示す正面図である。
【考案を実施するための形態】
【０００８】以下、本考案の実施の形態について図１を参照して以下説明する。
【実施例】
【０００９】本考案は、図１に図示するように構成されているから、、生簀網本体（５）は常時には生簀筏（１）に取付けられている。赤潮時及び台風時、前記養殖筏（１）に懸架した生簀網本体（５）を沈めても内部から養殖魚が逃げない様に予め、同生簀網本体（５）の上部開口を遮断する網（６）を取付けた。さらに養殖網本体（５）上部の縁全周には取付枠（７）を設置した。その際、下部取付枠（９）は、深さを沈められるだけの余裕の長さをもった下部取付枠吊ロープ（１０）によって養殖筏（１）と連結されている。ワイヤーロープ（４）の繰り出し側先端に取付けたシャックル（８）を介して、取付枠（７）にワイヤーロープ（４）を取付けてウィンチ本体（３）に装着した手動又は電動の駆動機構により前記ワイヤーロープ（４）を繰り出して前記生簀網本体（５）を上下動させる駆動機構で巻降ろし、海中深く沈めて海面を漂う赤潮並びに台風から難を逃れることができた。尚、ウィンチ本体（３）の数は生簀網本体（５）の重量を考慮してまた均等に生簀網本体（５）が降下上昇するように決定する必要がある。
【符号の説明】
【００１０】１    養殖筏
２    ウィンチ取付板
３    ウィンチ本体
４    ワイヤーロープ
５    生簀網本体
６    網
７    取付枠
８    シャックル
９    下部取付枠
１０  下部取付枠吊ロープ
【図１】
0003165714.tif 000003
(57)【要約】      （修正有）【課題】すりおろし器をより小型化して、もっと手軽に食卓の上でも 利用できるようにした電動おろし器を提供する。【解決手段】シリンダ１と、その先端開口部に取り付けるロート状ノズル２とシリンダ１の中に後端開口部から挿入してキャップ部３ａで固定する電動回転ピストン３と、シリンダ１の先端開口部に取り付けるおろし板４とより構成する。さらに前記ピストン３はそのピストンロッド３ｂの先端部にシリンダ１の中に入れた被おろし物６をおろし板４に押圧する押さえ板５を備える。 【選択図】図１
0003165750.tif 000002
【実用新案登録請求の範囲】
【請求項１】
シリンダと、その先端開口部に取り付けるロート状ノズルと、シリンダの中に後端開口 
部から挿入してキャップ部で固定する電動回転ピストンと、シリンダの先端開口部に取り 
付けるおろし板とよりなり、前記ピストンは、そのピストンロッドの先端部にシリンダの 
中に入れた被おろし物をおろし板に押圧して回転する押さえ板を備えていることを特徴と 
する電動おろし器。 
【請求項２】
前記おろし板は、被おろし物を直径10mm程度以下の大きさにおろす形状と 
なっていることを特徴とする請求項1記載の電動おろし器。 
【考案の詳細な説明】
【技術分野】
【０００１】
この考案は電動おろし器に関するものである。 
【背景技術】
【０００２】
従来のおろし器としては、突起が付いたすりおろし板に被おろし物を手で 押し付け 
て前後に移動させておろす手動式のものがある。ミキサー併用式のものでは、攪拌器と 
おろし板がそれぞれ替え歯として利用されていて大型である。 
【考案の概要】
【考案が解決しようとする課題】
【０００３】
しかし、手動式のものは少量、多量にかかわらず手が汚れる。併用式のものは多量の 
被おろし物をおろす場合は便利だが少量の場合は適さない。また、大型であるため常時 
収納しておき、必要の都度取り出さなければいけないので、不便である。 
この考案は、このような従来のおろし器の欠点を解決することを課題とする。 
【課題を解決するための手段】
【０００４】
本考案が上記課題を解決するために提供する電動おろし器は、シリンダと、その先端 
開口部に取り付けるロート状ノズルと、シリンダの中に後端開口部から挿入してキャッ 
プ部で固定する電動回転ピストンと、シリンダの先端開口部に取り付けるおろし板とよ 
りなり、ピストンは、そのピストンロッドの先端部にシリンダの中に入れた被おろし物 
をおろし板に押圧して回転する押さえ板を備えていることを特徴とするものである。 
前記のおろし板は、被おろし物を直径10mm程度以下の大きさにおろす形状にする 
ことができる。 
【考案の効果】
【０００５】
1．手を汚さず少量の被おろし物でもおろせて無駄が出ない。 
2．器が二ツに分解でき洗いが簡単である。 
3．器がスリムで住いやすく、手の届く位置に置ける。 
【図面の簡単な説明】
【０００６】
【図１】本考案の電動おろし器の断面図である。
【考案を実施するための形態】
【０００７】
以下この考案の実施の形態を実施例によって図1を参照しながら説明する。 
1は円筒状のシリンダ、2は先端開口部にねじ込んで（螺合して）取り付ける 
ロート状ノズルである。3はシリンダ1の後端開口部から挿入してキャップ部3aをねじ 
込んで（螺合して）取り付ける電動回転ピストンである。このピストンは、電源を入れる 
と押さえ板5が回転しながら前進する構造になっている。 
4はシリンダ1の先端開口部に取り付けるおろし板である。このおろし板4は、被おろ 
し物6を小さくおろす板である。おろし板4の目の大きさは、任意であるが、通常は被お 
ろし物6を直径10mm程度以下、のが実用的である。 
前記のピストン3は、そのピストンロッドの先端部に、シリンダ1の中に入れた被おろ 
し物6をおろし板4に押圧しながら回転する押さえ板5を備えている。 
このような構成となっているので、この電動おろし器を使って例えば、生姜をおろす場 
合は、次の要領で行う。 
まず、シリンダ1の先端開口部におろし板4とノズル2を取り付け、後端開口部から回 
転電動ピストン3を挿入して組み付ける。 
その組み付け前に直径2cm〜3cm程度の生姜（被おろし物6）をシリンダ1の中に 
あらかじめ入れておく。 
勿論、生姜はおろし板4を取り付ける時にシリンダ1の中に入れてもよい。 
ついで、回転電動ピストン3の電源を入れる。すると、押さえ板5は、前進しながら回 
転して生姜をおろし板4を押しつけ、生姜をすりおろす。 
【符号の説明】
【０００８】
１  シリンダ
２  ノズル
３  回転電動ピストン
３ａ  キャップ部
３ｂ  ピストンロッド
４  おろし板
５  押さえ板
６  被おろし物
【図１】
0003165750.tif 000003
(57)【要約】      （修正有）【課題】携帯通信機器を利用し、人が怪我等で転倒したときに、非常送信することで、直ぐに助けられるようにする自動転倒検知通報装置を提供する。【解決手段】携帯通信機器３の外部にイヤホーン２ｃとマイクロホン２ａと送信受信の切り替えスイッチを接続するための外部接続コネクターを使用し、電子回路に傾斜センサーを組み込み、人が怪我等で転倒したときに電子回路が接続するように電子回路を設置し、携帯通信機器より転倒信号を送信することができるようにすることで、転倒による危険を通報できる事を特徴とする。【選択図】図１
0003165797.tif 000002
【実用新案登録請求の範囲】
【請求項１】
携帯型通信機器の外部にイヤホーンとマイクロホンと送信受信の切り替えスイッチを接続するための外部接続コネクターを使用し、電子回路に傾斜センサーを組み込み、人が怪我等で転倒したときに電子回路が自動的に転倒したことを検知し、危険を送信するように電子回路が自動的に動作するように設計することで、携帯型通信機器より転倒信号を送信することができることで、転倒による危険を通報ことができる、携帯型通信機器を利用する事を特徴した自動転倒検知通報装置。
【考案の詳細な説明】
【技術分野】
【０００１】
本考案は傾斜センサーを組み込み、人が怪我等で転倒したときに電子回路が接続するように電子回路を設置し、携帯型通信機器利用するための技術分野。
【背景技術】
【０００２】
携帯型通信機器利用し、人が怪我等で転倒したとき非常送信できる技術。
【考案の開示】
【考案が解決しようとする課題】
【０００３】
本考案は携帯型通信機器を利用し、人が怪我等で転倒したときに、非常送信できるようにすることで、直ぐに助けられるようにすることができるようになることを、解決しようとする課題する。
【課題を解決するための手段】
【０００４】
本考案は携帯通信機器を利用し、傾斜センサーを電子回路に組み込み、人が怪我等で転倒したときに電子回路が接続するように電子回路を自動的に動作するように設計することで、携帯型通信機器から非常送信できることで解決するための課題する。
【考案の効果】
【０００５】
上述のように携帯通信機器を利用し、傾斜センサーを電子回路に組み込み、人が怪我等で転倒したときに電子回路が接続するように電子回路を設置し、携帯型通信機器から非常送信できるようにすることで、考案の効果があった。
【考案を実施するための最良の形態】
【０００６】
上述のように、携帯通信機器を利用し、傾斜センサーを電子回路に組み込み、人が怪我等で転倒したときに電子回路が接続するように電子回路を設置し、携帯型通信機器から非常送信できるようにすることで、実施するための最良の形態とする。
【実施例】
【０００７】
図面に従って、以下添付実施例を説明する、１は自動転倒検知通報装置の本体、１ａは自動転倒検知通報装置の電子回路に必要な電池、１ｂは近く知らせるブザー、１cは傾斜センサーを含む自動転倒検知通報装置の電子回路、１dは携帯通信機器外部接続コネクターと自動転倒検知通報装置と接続コネクター
【０００８】
２はイヤホーンマイクロホン用本体、２aはマイクロホン、２bは送信用スイッチ、２cはイヤホーン、３は携帯通信機器
【図面の簡単な説明】
【０００９】
【図１】自動転倒検知通報装置と携帯通信機器の正面図
【図２】自動転倒検知通報装置と携帯通信機器の上面図
【符号の説明】
【００１０】
１    自動転倒検知通報装置本体
２    イヤホーンマイクロホン用本体
３    携帯通信機器
４    機器との接続リード線
【図１】
0003165797.tif 000003
【図２】
0003165797.tif 000004
【手続補正書】
【提出日】平成22年7月6日(2010.7.6)
【手続補正１】
【補正対象書類名】実用新案登録請求の範囲
【補正対象項目名】全文
【補正方法】変更
【補正の内容】
【実用新案登録請求の範囲】
【請求項１】
携帯型通信機器と傾斜センサーを利用し、人が立つて仕事中に事故に遭い、倒れた時に事故を知らせる方法として、携帯型通信機器の外部による操作できる接続コネクターを使用し、送信切り替え装置を手元で使用できる用にするために、このコネクターにリード線を付ける、傾斜センサーを含む非常信号送信装置を内臓した電子回路を設置しる、傾斜センサーにより人が倒れると、傾斜センサーが感知信号を出すことにより電子回路が動作することで、非常信号送信装置が動作し、非常信号が携帯型通信機器から送信される、これにより携帯型通信機器による事故を知らせることができる、この非常信号送信装置を動作させるための電池、近くの人に知らせるブザーを設ける、前記の機器を一つのケースに内臓し、腰等に密着させることが出きることを特徴とする携帯型通信機器を利用した自動転倒検知通報装置。
【手続補正書】
【提出日】平成22年9月7日(2010.9.7)
【手続補正１】
【補正対象書類名】実用新案登録請求の範囲
【補正対象項目名】全文
【補正方法】変更
【補正の内容】
【実用新案登録請求の範囲】
【請求項１】
立って危険の伴う仕事中に事故に遭遇し、転倒し倒れたとき、その事故を事故対策所に知らせる方法として、携帯型通信機器の外部操作用の接続コネクターを使用し、送信受信の切り替えを操作できる接続コネクターを使用し、この接続コネクターにリード線で接続されたケースを設ける、ケース内には、転倒した事を知る方法として、垂直と水平を感知する傾斜センサー、傾斜センサーからのセンサー信号により動作する電子回路を設置する、電子回路には携帯型通信機器を動作させる電子回路に設ける、事故に遭い転倒したことを知らせる、非常信号送信装置設ける、携帯型通信機器で送信できる非常信号送信で事故対策所に知らせることができる、また携帯型通信機器に近くの人に知らせるため電子ブザーを設けることで事故に遭遇したことを知らせることができる、このケース内には電子機器を動作させるための電池、前記のケースに内蔵する、このケースを腰等に密着させることが出きることを特徴とする携帯型通信機器を利用した自動転倒検知通報装置。
【手続補正書】
【提出日】平成22年11月30日(2010.11.30)
【手続補正１】
【補正対象書類名】実用新案登録請求の範囲
【補正対象項目名】全文
【補正方法】変更
【補正の内容】
【実用新案登録請求の範囲】
【請求項１】
携帯型通信機器に接続され、送信受信の切り替えを操作できる接続コネクターと、前記接続コネクターにリード線で接続されたケースを有し、前記ケース内には、傾斜センサーを組み込んだ電子回路を備え、前記傾斜センサーが所有者の転倒を検知すると、前記電子回路が動作し、非常信号を前記携帯型通信機器に送信させることを特徴とする携帯型通信機器を利用した自動転倒検知通報装置。
(57)【要約】      （修正有）【課題】アメニティーグッズとしてのデザインを施すことによって、気軽に浴室内に設置が出来、且つ入浴中にも掃除が出来る風呂ごみ取り器具を提供する。【解決手段】お風呂のごみ取り器具を中央を絞った円筒形状とし、更にデザインを施すことによって、浴室内に設置しても違和感の無い物にする。口側にごみ取り用のネットを付ける事で、入浴しながらも毛ごみ類を取れる様にする。落としても割れないよう柔らかめの樹脂で作ることで、安全面も配慮する。【選択図】図１
0003165794.tif 000002
【実用新案登録請求の範囲】
【請求項１】
ごみ取り器具を中央を絞った筒状で、下部には台座のような形状を施し自立させ、設置しても倒れないようにし、魚やサメといった形状にする事で、アメニティーグッズとしてのごみ取り器具とする。
【考案の詳細な説明】
【技術分野】
【０００１】  本考案は、携帯性・アメニティーグッズとしての風呂ごみ取り器具に関するものである。
【背景技術】
【０００２】  入浴時の風呂に残る毛等のごみの掃除は、手鏡のような形状にネットが付いている物が多い。そのような形状の為、掃除器具が浴室内に設置されていない事が多く、大抵は入浴後に器具を用いて掃除をしていた。
【考案の開示】
【考案が解決しようとする課題】
【０００３】  従来あったお風呂のごみ取り器具はその形状の為、アメニティーグッズとしてよりも掃除用具的な物なので、浴室外に仕舞われがちで入浴後に掃除を行わなければならなかった。アメニティーグッズとしてのデザインを施すことによって、気軽に浴室内に設置が出来、且つ入浴中にも掃除が出来るという前述の欠点を解決しようとする物である。
【課題を解決するための手段】
【０００４】  本考案は、お風呂のごみ取り器具を従来の形ではなく、携帯性・アメニティーグッズとしてのデザインを施す。また、可愛いデザインをすることによって、子供も入浴中遊びながらごみ取りが出来るよう考えたのが他と異なる特徴とする。
【考案の効果】
【０００５】  本考案のお風呂のごみ取り器具は、中央を絞った円筒形状及びデザインをすることによって各家庭で仕舞われがちなごみ取り器具を浴室内に設置出来るアメニティーグッズとさせ、設置してもらう物とする事で問題点を解決している。
【考案を実施させるための最良の形態】
【０００６】  ごみ取り器具を中央を絞った筒状にし、浴室内に設置しても違和感の無いよう、魚やサメ・金魚といった形状にする。口側にごみ取り用のネットを付ける事で、入浴しながらも毛ごみ類を取れる様にする。また、手入れ自体は口とは反対側から水で流す。落としても割れない様柔らかめの樹脂で作ることで、安全面も配慮する。また、下部には台座のような形状を施し、設置しても倒れないようにする。
【図面の簡単な説明】
【０００７】
【図１】「ごみ取り器具スタンダードを示す姿図。」
【図２】「ごみ取り器具サメ型を示す姿図である。」
【図３】「ごみ取り器具魚型を示す姿図である。」
【符号の説明】
【０００８】１  ごみ取り本体
２  ごみ取りネット
３  ネット取付キャップ
【図１】
0003165794.tif 000003
【図２】
0003165794.tif 000004
【手続補正書】
【提出日】平成21年12月21日(2009.12.21)
【手続補正１】
【補正対象書類名】実用新案登録請求の範囲
【補正対象項目名】全文
【補正方法】変更
【補正の内容】
【実用新案登録請求の範囲】
【請求項１】
ごみ取り器具中央を絞った筒状で、下部にはリング状の台座のような形状を施し自立させ、設置しても倒れないようにする。ごみ取り器具中央を絞った筒状を、魚やサメといった形状にする事で、アメニティーグッズとしてのごみ取り器具。
【手続補正２】
【補正対象書類名】明細書
【補正対象項目名】０００７
【補正方法】変更
【補正の内容】
【０００７】
【図１】「ごみ取り器具姿図。」
【図２】「ごみ取り器具断面図。」
【手続補正書】
【提出日】平成22年4月14日(2010.4.14)
【手続補正１】
【補正対象書類名】実用新案登録請求の範囲
【補正対象項目名】全文
【補正方法】変更
【補正の内容】
【実用新案登録請求の範囲】
【請求項１】
一端から中央に向かって筒が細くなり、且つ中央他端に向かって広がっていく筒状で、筒の一端の縁一周につばを有する事により自立する筒型と、前記筒型のもう一方の端に取り付けられたゴミ取り用ネットを有する風呂ゴミ取り器具であり、筒型部分を筒型、若しくは魚又はサメに見えるようネットが付いている側の端を斜めにして頭部側とし、目・エラの形状に筒に穴若しくは凹みつけ、中央部に背びれ・胸びれに見えるようひれ形状の突起を設け、自立用のつばが付いている端側を尾びれ側に見立てた形状の風呂ゴミ取り器具。
(57)【要約】      （修正有）【課題】中指、薬指、小指などでケ−ブルを握りながら、人差し指と親指でステップルを持ち支えるという困難な作業から解放され、敷設作業の軽減並びに作業効率が高まるステップるを提供する。【解決手段】針足の片側を長くして先に造営材へ長い片足のみを打ち付けて借り止めをして作業を軽減する、対片側の短い針足は造営材との間隔が空き、その間にケ−ブルを差し入れてステップルを造営材に打ち込んで敷設する。したがって垂れ荷重及びステップルの支えから解放され工法の効率が上がる。【選択図】図１
0003165796.tif 000002
【実用新案登録請求の範囲】
【請求項１】
ステツプルの片側の針足を長くして打っ頭部を設けた。
【考案の詳細な説明】
【技術分野】
【０００１】本考案は、ステップルの片側針足に関する。
【背景技術】
【０００２】従来のステップルは、両方共針足の長さは同じでありケ−ブルを跨いで打ち付け敷設使用ている。
【考案の開示】
【考案が解決しようとする課題】
【０００３】しかし、これではケ−ブルを握り更にステップルを支えてケ−ブルを跨ぎ打ち付けなければならずとくに重量の有るケ−ブルでは尚更ら困難、不便である。
【課題を解決するための手段】
【０００４】そこで、片側の針足を長くして造営材に予め長い片足のみを打ち付けてステップルを固定して支えを軽減する
一方  対片側の短い針足は造営材との間隔が空きその間にケ−ブルを差し入れてから従来のようにステップルを造営材に打ち込んで敷設する事を考案した。
【考案の効果】
【０００５】よって本考案により、ケ−ブルを支える掌の及び中指、薬指、小指などでケ−ブルを握りながら、人差し指と親指でステップルを持ち支える、とゆう困難な作業から解放されて敷設作業の軽減並びに作業効率が高まる。
【考案を実施するための最良の形態】
【０００６】本考案に係る片長針足ステップル１０は、図１に示すように、片側の針足を長くする、さらに２は、打つ頭部を設けてステップルの形状を保護しながら打って敷設できるようした。
【図面の簡単な説明】
【０００７】
【図１】本考案に係る片長針足ステップルの全体断面図である。
【図２】従来のステップルの断面図である
【符号の説明】
【０００８】  １    長くした針足
２    打っ頭部
３    ケ−ブル保護絶縁材
１０  片長針足ステップル
２０  従来のステップル
【図１】
0003165796.tif 000003
【図２】
0003165796.tif 000004
【手続補正書】
【提出日】平成22年4月13日(2010.4.13)
【手続補正１】
【補正対象書類名】実用新案登録請求の範囲
【補正対象項目名】全文
【補正方法】変更
【補正の内容】
【実用新案登録請求の範囲】
【請求項１】
木造家屋電気配線工事に置いて、電気ケ−ブル敷設に使用するコの字型金属製絶縁留め支持具、主に鋼鉄芯線仕様の品名ステップルに付いての考案。従来のコの字型ステップルは、針足左右とも長さは同じである。
考案のステップルは、片側の針足を長く作りその付根を折り曲げ返してヘア−ピンカ−ブ状の突起を備えて打っ頭部を設けた。長くした針足の打っ頭部を叩き打ち付けて、造営材に突き刺し仮支えを施して、もう一方の短い針足は造営材に突き刺すことなく、造営材と針足先端に間隔を作り、その隙間からケ−ブルを落とし込んでから更に打っ頭部と片側の曲がり角を交互に叩き込んで、従来のようにステップルを造営材に打ち込んでケ−ブルの敷設をする方法に使用する。
打っ頭部付き片長針足ステップルを考案した。
【手続補正書】
【提出日】平成22年8月2日(2010.8.2)
【手続補正１】
【補正対象書類名】実用新案登録請求の範囲
【補正対象項目名】全文
【補正方法】変更
【補正の内容】
【実用新案登録請求の範囲】
【請求項１】
左右に同じ長さの針足を有するステップルにおいて、片側の針足を長く作りその付け根を折り曲げ返してヘア−ピンカ−ブ状の突起を備えて打つ頭部とした片長針足ステップル。
【手続補正書】
【提出日】平成22年11月12日(2010.11.12)
【手続補正１】
【補正対象書類名】実用新案登録請求の範囲
【補正対象項目名】全文
【補正方法】変更
【補正の内容】
【実用新案登録請求の範囲】
【請求項１】
左右に針足を有するステップルにおいて、片側の針足を長く作りその付け根を折り曲げ返してヘア−ピンカ−ブ状の突起を備えて打つ頭部とした片長針足ステップル。
(57)【要約】      （修正有）【課題】基礎杭等に用いる小口径鋼管の地上に残っている上端部を、電動カッターで切断するための、電動カッター台座を提供する。【解決手段】地上に残った小口径鋼管１の上端を電動カッター３により切断、及び切断した鋼管の切れ端が落下しないようにするための、鋼管に合わせた半円柱状の窪みと水平の切断溝４を付けたカッター台座２と、小口径鋼管の切断箇所の上下で鋼管を挟みこんで固定する固定バンド５，６とにより構成する。【選択図】図１
0003165703.tif 000002
【実用新案登録請求の範囲】
【請求項１】
電動カッターによる地上に残った小口径鋼管上端の切断を可能にするための、鋼管を挟みこんで電動カッターを固定し、かつ切断した鋼管の切れ端が落下しないよう固定する台座とその固定バンドの構造。
【考案の詳細な説明】
【技術分野】
【０００１】
本考案は、基礎杭等に用いる小口径鋼管の地上に残っている上端部を、電動カッターで切断するための、電動カッター台座の改造に関するものである。
【背景技術】
【０００２】
掘削した孔に鋼管を埋め込む方法、建柱車等を用いて直接打ち込む方法、回転を与えながらの圧入する方法等、小口径鋼管は様々な方法及び用途で地中に埋め込まれている。いずれの方法にせよ、地中に鋼管を埋設した後、地上に残った上端部を切り取る作業が発生するが、多くの現場において手動ガス切断機によって切断している。
【０００３】
しかし、手動ガス切断機による作業には有資格者が必要であり、又、熟練者でなくては水平に切断することは困難であり、熱による鋼管の変形・変質も避けがたい。更には比較的かさばる装備を必要とし、ガス管と酸素管の取り扱いなどにも注意を要する。
【０００４】
この改善策として、既存の電動カッターの台座部分を、地上に残っている鋼管に取り付けて切断できるように改造する方法がある。図１はこの方法による改造電動カッターの実装形態を示すための説明図であって、地面に対して水平（鋼管に対して垂直）に取り付けた外観図である。
【考案の概要】
【考案が解決しようとする課題】
【０００５】
解決しようとする問題点は、地上に残っている小口径鋼管上端部のガス切断は、有資格者が不便でかさばる機具を使用し、それでもなお滑らかな切断面は得られず、熱による鋼管の変形・変質も避けがたい点である。
【課題を解決するための手段】
【０００６】
本考案は、既存の電動カッターの台座を鋼管に取り付けられるように改造し、電動カッターによる小口径鋼管の切断を最も主要な特徴とする。
【考案の効果】
【０００７】
本考案の改造した電動カッターは、軽量小型の装置であり、特別な資格や講習を必要とせずに、誰が行っても簡単に綺麗な切断面が得られるという利点がある。加えて熱による鋼管の変形・変質も発生しない。
【図面の簡単な説明】
【０００８】
【図１】図１は改造した電動カッターの実施方法を示した説明図である。
【考案を実施するための形態】
【０００９】
地上に残っている小口径鋼管の切断したい箇所に電動カッターの刃が来るように位置決めをし、凸状の台座と凹状の固定バンド（上下２個）で鋼管を左右から挟みボルトで固定する。台座に電動カッターをボルトで固定し電源を入れて切断する。逆の手順で台座を取り外し、（台座により固定されていた）切断された鋼管上部を取り除く。
【産業上の利用可能性】
【００１０】
有資格者が不便でかさばる機具を使用しても滑らかな切断面を得られず、熱による変形・変質も避けがたい小口径鋼管上端部のガス切断が、特別な資格・講習を必要としない小型で簡便な電動カッターによる切断へ変わることで、作業効率及び安全性の向上が見込める。又、電動カッターによる切断なので、常に滑らかな切断面が得られ、熱による変質・変形も発生しない。
【符号の説明】
【００１１】
１    鋼管
２    カッター台座
３    高速カッター
４    切断溝
５    上部鋼管固定バンド
６    下部鋼管固定バンド
７    カッター取付ボルト
８    固定バンド取付ボルト
【図１】
0003165703.tif 000003
【手続補正書】
【提出日】平成22年11月24日(2010.11.24)
【手続補正１】
【補正対象書類名】実用新案登録請求の範囲
【補正対象項目名】全文
【補正方法】変更
【補正の内容】
【実用新案登録請求の範囲】
【請求項１】
地上に残った小口径鋼管上端を電動カッターにより切断、及び切断した鋼管の切れ端が落下しないようにするための、鋼管に合わせた半円柱状の窪みと水平の切断溝を付けた鋼板を、小口径鋼管の切断箇所の上下で鋼管を挟みこんで固定する台座とその固定バンドの構造。
(57)【要約】      （修正有）【課題】側面から内容物が見なくなるのを防止しながら、立体的な内容物の展示を可能とし、また、額縁内の内容物の長期保存を可能とする立体額縁を提供する。【解決手段】全面の透明板を真空吸着工法によりドーム状に成形し奥行きのあるものとし、ドーム状に成形した透明板と額縁の後方展示部とを通気性のない吸着テープ等により密封する。【選択図】図２
0003165702.tif 000002
【実用新案登録請求の範囲】
【請求項１】
平面的な額縁に立体的な物を容れるために前方額部をド−ム状の透明板とすることで奥行きのある後方展示部とを備えた立体額縁で前面からでなく側面からも視認することができる立体額縁。
【請求項２】
前記前方額部と前記後方展示部とを密封することで内容物の長期保存が可能となる立体額縁。
【考案の詳細な説明】
【技術分野】
【０００１】
本考案は従来の奥行きのある立体額縁を平面に近づけるための立体額縁であり、また額縁の内容物を長期保存できる立体額縁に関するもの。
【背景技術】
【０００２】
一般的な額縁は絵画や写真等の薄手の提示物を飾る構造であるが近年の手芸、工芸分野の多様化等により、立体的造形物や厚手の作品等を飾る要望がある。立体額縁の先行技術文献として例えば特許文献１がある。
【０００３】
また従来の立体額縁では立方体であり側面から内容物を確認することができないものであるという問題点がある。例えば特許文献２がある。
【０００４】
そしてアクリル・ガラス等の透明板と額縁の後方展示部とを密封することにより内容物の長期保存を可能とするものである。  
【先行技術文献】
【特許文献】
【０００５】
【特許文献１】特開2005−160975号公報
【特許文献２】実用新案登録第3150923号
【考案の概要】
【考案が解決しようとする課題】
【０００６】
本考案の課題は額縁を立体的とすることで側面から内容物が見なくなるのを防止できながら、内容物の長期保存が可能となる点にある。
【課題を解決するための手段】
【０００７】
図面に例示するように全面の透明板を真空吸着工法によりドーム状に成形し奥行きのあるものとし、ドーム状に成形した透明板と額縁の後方展示部とを通気性のない吸着テープ等により密封し脱酵素剤・脱酸素剤等を入れる。
【考案の効果】
【０００８】
前方額部をドーム状に成形した透明板で形成しているため後方展示部の中に入れる内容物が前面からだけでなく側面からも鑑賞できる。またドーム状の透明板と後方展示部とを密封し長期保存可能な立体額縁となる。
【図面の簡単な説明】
【０００９】
【図１】図1は対象物を正面から示した図
【図２】図２は図1のＡ-Ａの断面図
【図３】図３は図1のＢ-Ｂの断面図
【図４】図4は図1のＣ-Ｃの断面図
【図５】図5は図2のＤ部の拡大図
【考案を実施するための形態】
【００１０】
前方額部に用いる第１材料の透明板は、アクリル・ガラス・プラスチック等を含む。
第一材料の透明板と後方展示部との間には脱酸素剤・脱酵素剤等を入れ。また内容物の長期保存を可能とする前記対象物が外気に触れることがないよう通気性のない粘着テープ例えばアルミテープ等で覆う。
【産業上の利用可能性】
【００１１】
従来の立体額面は正面からの視認に特化したものであったが前方額部をドーム状にすることで側面からの視認もできることとなる
【符号の説明】
【００１２】
１：額縁
２：透明板 
３：背板
４：裏当用ボード
5：後方額部
6：通気性のない粘着テープ 
【図１】
0003165702.tif 000003
【図２】
0003165702.tif 000004
【図３】
0003165702.tif 000005
【図４】
0003165702.tif 000006
【図５】
0003165702.tif 000007
【手続補正書】
【提出日】平成22年11月12日(2010.11.12)
【手続補正１】
【補正対象書類名】実用新案登録請求の範囲
【補正対象項目名】全文
【補正方法】変更
【補正の内容】
【実用新案登録請求の範囲】
【請求項１】
平面的な額縁に立体的な物を容れるために前方額部をド−ム状の透明板とすることで奥行きのある後方展示部とを備えた立体額縁で前面からでなく側面からも視認することができる立体額縁。
【請求項２】
前記前方額部と前記後方展示部とを密封することで内容物の長期保存が可能となることを特徴とする請求項１記載の立体額縁。
(57)【要約】      （修正有）【課題】一日中着けているのを忘れる位楽で涼しいブラジャーを提供する。【解決手段】被服に接する部分にスポンジウレタンを用いることにより殆んどの生地に密着することで背紐が無くても落ちない。尚、肌に密着する部分に吸収・速乾効果のある・通気性のよい生地を用いる。また、落下防止のために、取り外し可能なスポンジを肩に挟み込むストラップを使用する事で後ろ紐の無いすがすがしいブラジャーとなる。【選択図】図１
0003165229.tif 000002
【実用新案登録請求の範囲】
【請求項１】
暑さ対策を徹底的に追及した簡易着脱女性用下着・ブラジャー
【考案の詳細な説明】
【技術分野】
【０００１】女性用下着・ブラジャーの背紐を無くし肌に密着する部分には汗を吸収・速乾効果の加工を施した通気性の良い素材を使用する。
【背景技術】
【０００２】被服が接する部分にスポンジウレタンを用いる。肌が接する部分には水分吸収・速乾性の薬剤を浸透させた生地で通気性の良い素材を用いる。
【考案の開示】
【考案が解決しようとする課題】
【０００３】夏の猛暑時の女性の余分な下着は苦痛にも近い。出来れば家庭内だけでも装着したく無い。しかしながらふいの来客時には困惑する。そこで即着脱可能なそして超涼しいブラジャーがあれば有難い。過去に（公序良俗違反につき、不掲載）とか言う物が考案されたが、肌に密着型で少し重量もあり汗をかくと結局はすぐにはがれる。肌に接する部分は樹脂の為隙間も無い、そして高額である。この考案は全ての悩みを解決するものである。
【課題を解決する為の手段】
【０００４】被服の生地とスポンジは吸いつく様な摩擦がある事は公知の所である。
そこで  被服に接する部分にスポンジウレタンを用いることにより殆んどの生地に密着することで背紐が無くても落ちない。尚、肌に密着する部分に吸収・速乾効果のある・通気性のよい生地を用いる。また、落下防止が困難な被服の形状もある。そこで、やはり、取り外し可能な・スポンジを肩に挟み込むストラップを使用する事で後ろ紐の無いすがすがしいブラジャーとなる。
【考案の効果】
【０００５】絶対と言っていい程ずれ落ちない評価を貰っている。
従来の様にカップその物もスポンジウレタンと吸汗・速乾性の布で有している為通気性があり、汗の溜まり場となっていた事が解消された。
【考案を実施する為の最良の形態】
【０００６】この下着（ブラジャー）の外側（被服側）にスポンジ。内側（肌側）に吸汗・速乾性素材を接着する。またはミシンにて縫合する。それは乳房の形に添った物が好ましい。そして  肩部分にウレタンスポンジを有したストラップを用いる。
【実施例１】
【０００７】試作品を装着し一日中着けているのを忘れる位楽で涼しい下着である。
【産業上の利用可能性】
【０００８】スポンジウレタンと人肌が持つさまざまな問題、例えば  臭い・熱・冷え・汗等。なんら肌に悪影響を及ぼさない薬剤の研究は近年急成長を遂げている。
それらを素材に含有させる事でスポンジウレタンとの融合は色々な用途を生み出す可能性を秘めている。
【図面の簡単な説明】
【０００９】
【図１】  前から見たブラジャー
【図２】  後ろから見たブラジャー
【図３】  装着したブラジャーを斜めから見た人体胴体図
【図４】  ブラジャーの断面図
【符号の説明】
【００１０】    Ａ    スポンジウレタン
Ｂ    ブラジャー内布
Ｃ    縫製部
Ｄ    上部紐を着脱する為の輪っか
Ｅ    上部紐を着脱する為の鍵部分
Ｆ    紐部
Ｇ    被服
【図１】
0003165229.tif 000003
【図２】
0003165229.tif 000004
【図３】
0003165229.tif 000005
【図４】
0003165229.tif 000006
【手続補正書】
【提出日】平成22年10月21日(2010.10.21)
【手続補正１】
【補正対象書類名】実用新案登録請求の範囲
【補正対象項目名】全文
【補正方法】変更
【補正の内容】
【実用新案登録請求の範囲】
【請求項１】
被服と接触する部分の表面にウレタンスポンジを使用し、背紐を無くすと共に  肌との接着部位には  吸汗・速乾性の生地を使用し、肩にスポンジを施し  着脱可能なストラップを取り付けた事を特徴とするブラジャー。
【手続補正２】
【補正対象書類名】明細書
【補正対象項目名】０００３
【補正方法】変更
【補正の内容】
【０００３】夏の猛暑時の女性の余分な下着は苦痛にも近い。出来れば家庭内だけでも装着したく無い。しかしながら  不意の来客時には困惑する。そこで即  着脱可能なそして超涼しいブラジャーがあれば有難い。過去に素肌の一部の様に  樹脂で出来た物が考案されたが、肌に隙間無く密着型で、重量もあり汗をかくと結局はすぐに剥がれる。
そして  高額である  。この考案は  それら全ての悩みを解消するものである。
(57)【要約】      （修正有）【課題】飲料の脈打ち現象を軽減し、飲料の適量をスムーズに注ぐことができるペットボトルを提供する。【解決手段】飲料用ペットボトルに、飲料注入口の他に、新たに注ぎ口を設ける。【選択図】図１
0003165230.tif 000002
【実用新案登録請求の範囲】
【請求項１】
従来の飲料用ペットボトルに、新たに注ぎ口（飲み口）を設ける。
このことにより、飲料を注ぐ（飲む）時の、飲料の脈打ち現象を軽減できる。
【請求項２】
従来の飲料用ペットボトルに、注ぎ口（飲み口）を設けることにより、適量をスムーズに飲用できる。
【請求項３】
従来の飲料用ペットボトルに、飲み口を設けることにより、飲料用ペットボトルを、水平ぐらいまで傾けるだけで、飲料をすべて飲むことが可能なので、前方視界を妨げることが、少ない。
このことにより、自動車運転中の安全運転にも貢献できる。
【請求項４】
本考案は、飲料用ペットボトルの内容量に関係なく、小さなものから、大容量のものに適用できる。
【請求項５】
従来の飲料用ペットボトルの、注入口兼注ぎ口に吸気機構を施せば、注入口のキャップは一度取り除けば、飲用するたびに操作する必要がなくなる。
【考案の詳細な説明】
【技術分野】
【０００１】本考案は、飲料用ペットボトルに、注ぎ口をつけるものである。
【背景技術】
【０００２】従来の飲料用ペットボトルは、飲料の注入口と、注ぎ口（飲み口）が単一なものである。
【考案の概要】
【考案が解決しようとする課題】
【０００３】従来の飲料用ペットボトルは、飲料の注入口と注ぎ口（飲み口）が、一つで兼用されているため、注ぎ口（飲み口）が飲料でふさがれた時、飲料が脈打ってしまう。
【課題を解決するための手段】
【０００４】従来の飲料用ペットボトルに、新たに注ぎ口（飲み口）を設ける。
【考案の効果】
【０００５】従来の飲料用ペットボトルに、注ぎ口（飲み口）を設けることにより、飲料の脈打ちを軽減でき、スムーズに注ぐ（飲む）ことが出来る。
また、飲料用ペットボトルを、少ない角度で無理なく飲用できるので、前方の視界を妨げることが少なくなる。このことで、自動車運転中の飲用でも、安全にも貢献できる。
【図面の簡単な説明】
【０００６】
【図１】本考案の、注ぎ口（飲み口）付飲料用ペットボトルの図である。
【図１】
0003165230.tif 000003
【手続補正書】
【提出日】平成22年10月10日(2010.10.10)
【手続補正１】
【補正対象書類名】実用新案登録請求の範囲
【補正対象項目名】全文
【補正方法】変更
【補正の内容】
【実用新案登録請求の範囲】
【請求項１】
飲料用ペットボトルに、新たに専用注ぎ口（飲み口）を設けることにより、飲料を注ぐ（飲む）時の飲料の脈打ち現象を軽減でき、適量をスムーズに飲用できる、注ぎ口（飲み口）付飲料ペットボトル。
【手続補正２】
【補正対象書類名】明細書
【補正対象項目名】０００２
【補正方法】変更
【補正の内容】
【０００２】飲料用ペットボトルは、飲料の注入口と、注ぎ口（飲み口）が単一なものである。
【手続補正３】
【補正対象書類名】図面
【補正対象項目名】図１
【補正方法】変更
【補正の内容】
【図１】
0003165230.tif 000004
【手続補正４】
【補正対象書類名】明細書
【補正対象項目名】０００３
【補正方法】変更
【補正の内容】
【０００３】      飲料用ペットボトルは、飲料の注入口と注ぎ口（飲み口）が、一つで兼用されているため、注ぎ口（飲み口）が飲料でふさがれた時、飲料が脈打ってしまう。
【手続補正５】
【補正対象書類名】明細書
【補正対象項目名】０００４
【補正方法】変更
【補正の内容】
【０００４】      飲料用ペットボトルに、新たに注ぎ口（飲み口）を設ける。
【手続補正６】
【補正対象書類名】明細書
【補正対象項目名】０００５
【補正方法】変更
【補正の内容】
【０００５】      飲料用ペットボトルに、注ぎ口（飲み口）を設けることにより、飲料の脈打ちを軽減でき、スムーズに注ぐ（飲む）ことが出来る。
また、飲料用ペットボトルを、少ない角度で無理なく飲用できるので、前方の視界を妨げることが少なくなる。このことで、自動車運転中の飲用でも、安全にも貢献できる。
(57)【要約】      （修正有）【課題】染料の廃液処理システムあるいは脱色システムにおいて、染料の吸着剤としてオカラを用い、目詰まりを起こすことなく効率的に処理できる染料吸着器具を提供する。【解決手段】オカラをパルプの網目の中に封じ込めるために、パルプとオカラを水とともにミキサーなどで攪拌する。この混合物をカラムに詰める。オカラはパルプの繊維の中に閉じ込まれており、網目から出てくることはない。ただし、そのためには事前にオカラを分級して細かい粒子は除去しておいた方がよい。さらに、カラム１の下部に不織布のフィルター３を置き、オカラ混入パルプ２を詰め、その上部に不織布のフィルター３を置く。出入口４から染料液を流す。【選択図】図１
0003165225.tif 000002
【実用新案登録請求の範囲】
【請求項１】
オカラをパルプの網目の中に閉じ込めて、筒状の容器に詰めて用いる染料吸着器具
【請求項２】
オカラをパルプの網目の中に閉じ込めて、メンブレンフィルター状にして用いる染料吸着器具
【請求項３】
オカラをパルプの網目の中に閉じ込めて、カートリッジフィルター状にして用いる染料吸着器具
【考案の詳細な説明】
【技術分野】
【０００１】  本考案は、染料を効率的に吸着する器具に関するものである。
【背景技術】
【０００２】  染料廃液は無処理のまま下水へ放流されるか、酸化分解による脱色あるいは活性炭などへの吸着により処理されている。
【先行技術文献】
【０００３】
【特許文献１】特許第４１８９５４０号  公報
【０００４】
【特許文献２】特開２００７−２９８１５号  公報
【考案の概要】
【考案が解決しようとする課題】
【０００５】  オカラが活性炭など既知の吸着剤に比べて染料を迅速かつ効率的に吸着できることが報告されている。しかしながら、オカラをそのまま用いると密着により目詰まりを起こし、処理液はスムーズに流れない。すなわち、オカラの染料吸着性能がいくら優れていても、処理液が流れなければ染料を効率よく吸着することはできない。このように、オカラを吸着剤として用いるには利用形態を如何にするかが、実用化への大きな課題であった。
本考案は、こうした問題点を解決するためになされたものであり、その目的とするところは、目詰まりせずにオカラの優れた吸着性能を発揮できるような利用形態にすることである。
【課題を解決するための手段】
【０００６】  上記の目的を達成するために、パルプなどの繊維を用いることにした。パルプはセルロース繊維が絡みあった構造をしており、空隙が多く、空気や液体は抵抗なく容易に通過できる。この性質を利用して、パルプの網目の中にオカラを閉じ込めたものをカラム（パイプ）に詰めて用いたり、濾紙のように積み重ねて平板のメンブランフィルターのように用いたり、あるいは円筒形に成形してカートリッジに組み込んで用いることを考案した。【０００７】  具体的には、パルプとオカラを水とともにミキサーなどで攪拌するとオカラはパルプの網目の中に閉じ込められる。これをカラムなどに詰めて吸着器具とした。なお、空隙を作るためには必ずしもパルプだけに限定されるわけではなく、化学繊維あるいは再生セルロース繊維などによる作製も可能である。
【考案の効果】
【０００８】  オカラをそのままカラムに詰めれば、オカラは密着して処理液の流れは阻害される。いわゆる目詰まりである。例えば、直径２．５ｃｍのカラムに詰めた場合、オカラを約２．５ｇ（高さにして乾燥状態で約１ｃｍ、湿潤状態で２ｃｍ）以上加えると目詰まりを起こして処理液は流下せず、吸着できなくなる。一方、オカラをパルプの網目の中に閉じ込めると、パルプが空隙を作ってオカラ同士が隣接することはなく、目詰まりすることなく処理液は網目の中を自由に通過できる。オカラは次々と流れてくる染料廃液中の染料を途切れなく吸着することができ、染料を含まない透明の処理液が得られる。この液は、脱色液として再利用できる。【０００９】  本装置を脱色システムに組み込めば、電気泳動ゲルの脱色が自動的に行なえ、今まで手動で幾度も脱色液を交換していた手間が省けて、実験の省力化が図れる。
【図面の簡単な説明】
【００１０】
【図１】オカラ混入パルプで満たしたカラムで吸着する方法
【図２】平板フィルターのようにして吸着する方法
【図３】筒状に成形してカートリッジで吸着する方法
【考案を実施するための形態】
【００１１】  先ずはオカラをパルプの網目の中に封じ込めるために、パルプとオカラを水とともにミキサーなどで攪拌する。この混合物をカラムに詰めるか、シート状にするか、あるいは筒状に成形する。オカラはパルプの繊維の中に閉じ込まれており、網目から出てくることはない。ただし、そのためには事前にオカラを分級して細かい粒子は除去しておいた方がよい。
【００１２】  以下、添付図面に従って実施例を説明する。
【実施例】
【００１３】  図１の場合、１のカラムの下部に不織布のフィルター３を置き、オカラ混入パルプ２を詰め、その上部に不織布のフィルター３を置く。４から染料液を流すが、その場合、水圧を緩和するためにカラムの下から液を流す方式と、上から流す二通りの方式がある。図２の場合、径を大きくして６の濾紙のようにして用いることもできる。その場合も、上下に不織布のフィルター５を敷く。流下の方法は、図１と同様に７の上からと下からの二通りの方式がある。図３のようにカートリッジハウジングにセットして用いる場合は、先ず８のようにオカラ混入パルプを円形筒型濾紙のように成形する必要がある。これを９のハウジングにセットして１０から染色液を流せば、染料は８のオカラ混入パルプに吸着され、１１の出口から透明な液が得られ、これは脱色液として再利用できる。
【符号の説明】
【００１４】  ［図１］
１  カラム
２  オカラ混入パルプ
３  不織布（フィルター）
４  出入口
［図２］
５  不織布（フィルター）
６  オカラ混入パルプ
７  出入り口
［図３］
８  成形オカラ混入パルプ
９  ハウジング
１０  入口
１１  出口
【図１】
0003165225.tif 000003
【図２】
0003165225.tif 000004
【図３】
0003165225.tif 000005
【手続補正書】
【提出日】平成22年10月14日(2010.10.14)
【手続補正１】
【補正対象書類名】実用新案登録請求の範囲
【補正対象項目名】全文
【補正方法】変更
【補正の内容】
【実用新案登録請求の範囲】
【請求項１】
オカラをパルプの網目の中に閉じ込めて、筒状の容器に詰めた染料吸着器具
【請求項２】
オカラをパルプの網目の中に閉じ込めて、メンブレンフィルター状にした染料吸着器具
【請求項３】
オカラをパルプの網目の中に閉じ込めて、カートリッジハウジングにセットした染料吸着器具
(57)【要約】      （修正有）【課題】業務用フライヤーにおいて、調理物の風味や味覚を向上させるため調理用油から揚げカスなど浮遊物を濾過する安価で小型の揚げカス濾過装置を提供する。【解決手段】小型高速モーター１でシャフト２を回転させ、シャフトの先端に取り付けられたプロペラ８を回転させてプロペラケース内で油渦が出来て送油パイプ内を油が上に持ち上げられて送られた油がメッシュネットカゴ５内に油が送り込まれる。メッシュカゴで目の粗い揚げカスを取り除き、次にフィルター６でフライヤーの油槽内に大量に浮遊する浮遊物及び高熱で焦げた炭化物を確実に取り除き綺麗に濾過された油が油出口７よりフライヤー油槽に戻る構造である。【選択図】図１
0003165222.tif 000002
【実用新案登録請求の範囲】
【請求項１】
フライヤー用小型簡易濾過装置
【考案の詳細な説明】
【技術分野】
【０００１】
本考案は主として、揚げ物をより美味しく調理するための、フライヤー調理器に関する付属装置の発明である。
【背景技術】
【０００２】
現在市場で使用されているフライヤーの多くは、調理油の槽内で揚げカスなどが多量に浮遊している。
【０００３】
現在市場で使用されているフライヤーの多くは、調理油の槽内で揚げカスなどが多量に浮遊して、調理物の風味や味覚に悪影響を与えやすく、また、その揚げカスを取り除くための人的労力にも多きく負担を強いられている。
【０００４】
現在、そうした問題を解決するための装置を内蔵したフライヤーは存在するが、設備そのものが大型で、狭い厨房などに適応し難く、また導入コストも増大するなどの課題がある
【考案の開示】
【考案が解決しようとする課題】
【０００５】
解決しようとする課題は、そうした調理油内の揚げカスの除去と、内蔵型を導入した場合の大きなコスト負担である。
【課題を解決するための手段】
【０００６】
フライヤー油槽内の油をポンプで汲み上げ、メッシュ及びフィルターで揚げカスを濾過して、油槽内に循環させる。
【考案の効果】
【０００７】
本考案の発明により、揚げカスなど浮遊物を取り除く人的労力が解消され、揚げカスや浮遊物の少ない、きれいな油を長時間維持できるので、揚げ物料理の味覚や風味によい影響を与える。さらに、きれいな油を再度循環させるため、調理に要する油料も比較的少なく抑えることができる。
【考案を実施するための最良の形態】
【０００８】
濾過装置をメッシュネットとフィルターの二重構造にする。  
【実施例１】
【０００９】
現在、使用されている全てのフライヤー調理器に取り付けられる。
【産業上の利用可能性】
【００１０】
食品産業を主として、飲食店、ファーストフード、コンビニエンスストアなど、現在フライヤーを使用している店舗。
【図面の簡単な説明】
【００１１】
【図１】揚げカス濾過装置及び油循環の構造図
【図２】濾過装置本体をフライヤーに取り付けた場合の全体の設置図
【符号の説明】
【００１２】
１    小型モーター
２    シャフト
３    パイプ
４    油位線
５    メッシュネットかご
６    フィルター
７    油出口
８    プロペラ
９    油入口
１０  フライヤー油層
１１  受棚
１２  ガスヒート  バーナーパイプ
１３  排油口
【図１】
0003165222.tif 000003
【図２】
0003165222.tif 000004
【手続補正書】
【提出日】平成22年8月17日(2010.8.17)
【手続補正１】
【補正対象書類名】実用新案登録請求の範囲
【補正対象項目名】請求項１
【補正方法】変更
【補正の内容】
【請求項１】
フライヤー用小型簡易濾過装置
本発明のフライヤー用小型簡易濾過装置は食品衛生面を考慮し、本体ボックス及び各部品全てにステンレス３０４を使用している。
約縦１５ｃｍ横２０ｃｍ奥行１０ｃｍ程度のステンレス製の引出式の本体ボックスにシャフト及びシャフトカバーのパイプと送油パイプが接続された小型で機能的濾過器であり、フライヤー手前側背面にＬ型の取付金具とビスで誰でも簡単にフライヤーに取り付けが可能である。送油構造は小型高速モーターで図１−２のシャフトを回転させ、シャフトの先端に取り付けられた図面１−８のプロペラを回転させてプロペラケース内で油渦が出来て送油パイプ内を油が上に持ち上げられて送られた油が図面１−５のメッシュネットカゴ内に油が送り込まれる。機能は図面１−５のメッシュカゴで目の粗い揚げカスを取り除き、次に図面１−６のフィルターでフライヤーの油槽内に大量に浮遊する浮遊物及び高熱で焦げた炭化物を確実に取り除き綺麗に濾過された油が図面１−７の油出口より図面２−１０のフライヤー油槽に戻る構造である。現在一般的に使用されている容量２５リットル前後のフライヤーでは５分から６分で油槽内の油一回転分濾過可能な小型で機能に優れた濾過器である。
【手続補正書】
【提出日】平成22年10月28日(2010.10.28)
【手続補正１】
【補正対象書類名】実用新案登録請求の範囲
【補正対象項目名】全文
【補正方法】変更
【補正の内容】
【実用新案登録請求の範囲】
【請求項１】
フライヤー油槽内の油をポンプで汲み上げ、メッシュ及びフィルターで揚げカスを濾過して油槽内に循環させることを特徴とする揚げカス濾過装置。